(57)【要約】      （修正有）【課題】ゴミの量が多くなるレジ袋を使用しないで、レジ袋の代わりに、簡便に使用できるレジの空バスケットに入れて使う、布バックを提供する。【解決手段】布バック１をレジの空バスケットに入れて、折り返し３・を空バスケットの前方縁の外側に折り返す、折り返し３を空バスケットの手前側縁の外側に折り返して、空バスケットの中に布バック１を装着することを特徴とする。【選択図】図１
0003154034.tif 000002
【実用新案登録請求の範囲】
【請求項１】
長方形の布バック（１）の奥行き縁（２）から幅両側に折り返し（３・）と（３）を設け上部に筒状（４・）と（４）を設け、これに紐（５・）と紐（５）を左右からＵ字形にさし込み両方の紐を左右に引き出し、長方形の寸法より少し長く合わせて結び、反対側後部の紐は筒状と紐の縫い付け目印（Ｘ１）と（Ｘ２）に縫い付け、別の後部の紐も筒状と紐の縫い付け目印（Ｘ３）と目印（Ｘ４）に縫い付けてある、レジの空バスケットに入れて使う布バック。
【考案の詳細な説明】
【技術分野】
【０００１】  この考案は、レジの空バスケットの中に取り付けて、これに商品を入れてもらい、清算後レジ袋を辞退して、入れ換えしないようにした、レジの空バスケットに入れて使う布バックに関するものである。
【技術背景】
【０００２】  従来、スーパーのレジで店員は、お客の選んだ品物の入ったバスケットから代金を換算しながら、別の空バスケットに入れ換えて、支払い後レジ袋もわたす、客はカウンターでレジ袋に入れ換えて、持ち帰っていた。
【考案の概要】
【考案が解決しようとする課題】
【０００３】  これには次のような欠点があった。
使用後のレジ袋は、ゴミの量が多くなり、焼却されて二酸化炭素（ＣＯ２）の排出量も多くなり、資源の浪費になる。
本考案はこの欠点を解決するためになされたものである。
【課題を解決するための手段】
【０００４】  底を狭めた、長方形の布バック（１）を布地で縫製した、布バック（１）の、奥行き縁（２）の幅両側に、折り返し（３・）と（３）を設け、上部に、筒状（４・）と筒状（４）を設け、筒状に左右から、紐（５・）と紐（５）をＵ字形にさしいれ、前方筒状に引き出して、結んである。
本考案は以上の形成よりなるレジの空バスケットに入れて使う布バックである。
【考案の効果】
【０００５】  商品を入れたスーパーのバスケットをレジに持参して、レジの空バスケットに布バック（１）を入れて、空バスケットの幅側の縁に、折り返し（３・）を空バスケット外側に折り返す、折り返し（３）を、手前側の縁の外側に折り返して、布バック（１）を空バスケットの中に装着して、この中に商品をいれてもらう、店員は空バスケットに入れるのと、変わりなく作業が出来る、支払い後カウンターで、紐（５・）と紐（５）で布バックを閉じて結び、カバー（７・）とカバー（７）の紐を結びバスケットから出す。布バック自体がレジ袋の役目もはたすので、レジ袋は入らないし、レジ袋に入れる煩わしさも、なくなる。
【図面の簡単な説明】
【０００６】
【図１】    本考案の斜視図である。
【図２】    本考案の使用状態をあらわした左側の斜視図である。
【考案を実施するための形態】
【０００７】  底を狭めた長方形の布バック（１）を、布地で縫製して、布バックの奥行き縁（２）より幅用側に布バックを空バスケットの縁にかけて、固定するための、折り返し（３・）と折り返し（３）を設け、上部に布バックを開閉する、紐（５・）と紐（５）を差し入れる、筒状（４・）と筒状（４）を設け、この筒状の左側から、紐（５・）の両端を差しいれ、右側に引き出し布バック（１）を長方形に全開した寸法に合わせて結ぶ、左側の紐は、筒状（４・）と筒状（４）の目印（Ｘ１）と目印（Ｘ２）の布の上から筒状中の紐を縫い付けて固定する、右側の筒状（４・）と筒状（４）に、紐（５）をＵ字形に差しいれ左側に引き出し、布バック（１）を全開にした寸法に合わせて結ぶ、右側の紐は、筒状（４）の目印（Ｘ３）の布と縫いつけて固定する、筒状（４・）の目印（Ｘ４）の上から中の紐と筒状外側の布を縫い付けて固定してある。
本考案は以上のような構造で、これを使用するときは、布バック（１）を店舖のレジからバスケットの中に入れて、空バスケットの幅側縁に、折り返し（３・）を外側に折り返して引っ掛ける、片方の折り返し（３）も空バスケット幅側縁の外側に折り返して、引っ掛けて布バックを空バスケットの中に装着して、この布バックに商品を入れるようにした。
【符号の説明】
【０００８】  １、布バック本体２、上縁３・、折り返し３、折り返し４・、筒状４、筒状５・、紐５、紐６、反動版７・、カバー７、カバー８、手提げ９、Ｘ１、とＸ２、は筒状中の紐（５・）を筒状布と縫い付ける目印Ｘ３、とＸ４、は筒状中の紐（５）を筒状布と縫い付ける目印
【図１】
0003154034.tif 000003
【図２】
0003154034.tif 000004
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
長方形の布バツク（１）の奥行き縁（２）から幅側の、正面側と手前側に、折り返しを儲け、上部の正面側と手前側に紐を差し込む筒を設け、布を合わせて縫い付けて、この筒の正面側と手前側の左右から紐をＵ字形に差し込み、両方の紐を左右に引き出し、長方形の寸法に合わせて両方の紐の合わせ部分を縫い付けて固定し、左側後部と右側後部の紐は、正面側と手前側も筒左右の３センチ内側で、筒布と中の紐を縫い付けた、レジのバスケットに入れて使う布バック。
【手続補正２】
【補正対象書類名】明細書
【補正対象項目名】全文
【補正方法】変更
【補正の内容】
【考案の詳細な説明】
【技術分野】
【０００１】この考案は、レジの空バスケットの中に取り付けて、これに商品を入れてもらい、清算後レジ袋辞退して、入れ換えしないようにした、レジの空バスケットに入れて使う布バックに関するものである。
【技術背景】
【０００２】従来、スーパーのレジで店員は、お客の選んだ品物の入ったバスケットから代金を換算しながら、別の空バスケットに入れ換えて、支払い後レジ袋もわたす、客はカウンターでレジ袋に入れ換えて、持ち帰っていた。
【考案の慨要】
【考案が解決しようとする課題】
【０００３】これには次のような欠点があった。使用後のレジ袋は、ゴミの量が多くなり、焼却されて二酸化炭素（ＣＯ２）の排出量も多くなり、資源の浪費になる。本考案はこの欠点を解決するためになされたものである。
【課題を解決するための手段】
【０００４】底を狭めた、長方形の布バック（１）を布地で縫製した、布バック（１）の、奥行き縁（２）の幅両側に、折り返し（３・）と（３）を設け、上部に、筒（４・）と筒（４）を設け筒に左右から、紐（５・）と紐（５）をＵ字形にさしいれ、前方筒の左右引き出して、紐の両端を合わせて固定してある。本案は、以上の形成よりなるレジの空バスケットに入れて使う布バックである。
【考案の効果】
【０００５】商品を入れた、スーパーのバスケットをレジに持参して、レジの空バスケットに布バック（１）を入れて、空バスケットの幅側の縁に、折り返し（３・）を空バスケット外側に折返す、折り返し（３）を、手前側の縁に折り返して、布バック（１）を空バスケットの中に装着して、この中に商品を入れてもらう、店員は空バスケットに入れるのと、変わりなく作業が出来る、支払い後カウンターで、紐（５・）と紐（５）で布バックを閉じて結びカバー（７・）とカバー（７）の紐を結びバスケットから出す、布バック自体がレジ袋の役目もはたすので、レジ袋はいらないし、レジ袋に入れる煩わしさも、なくなる。
【図面の簡単な説明】
【０００６】
【図１】本考案の斜視図である。
【図２】本考案の使用状態をあらわした、左側の斜視図である。
【考案を実施するための形態】
【０００７】底を狭めた長方形の布バック（１）を、布地で縫製して、布バックの奥行き縁（２）より幅両側に布バックを空バスケットの縁にかけて固定するための、折り返し（３・）と折り返し（３）を設け、上部に布バックを開閉する、紐（５・）と紐（５）を差し入れる、筒（４・）と筒（４）を儲け、この筒の左側から、紐（５・）の両端を差しいれ、左側に引き出し布バック（１）を長方形に全開した寸法に合わせて固定する、左側の紐は、筒（４・）と筒（４）の目印（Ｘ１）と目印（ｘ２）の布の上から筒中の紐を縫いつけて固定して左側の筒（４・）と筒（４）に、紐（５）をＵ字形に差しいれ左側に引きだし、ヌノバック（１）を全開にした寸法に合わせて固定、右側の紐は、筒（４）の目印（Ｘ３）の布と縫い付けて固定してある。本考案は以上のような構造で、これを使用するときは、布バック（１）を店舗のレジの空バスケットの中に入れて、空バスケットの幅両側に、折り返し（３・）を外側に折り返して引っ掛ける、片方の折り返し（３）空バスケット幅側縁の外側に折り返して、引っ掛けて布バックを空バスケットの中に装着して、この布バックに商品を入れるようにした。
【符号の説明】
【０００８】１布バック本体、２上縁、３・折り返し、３折り返し、４・筒、４筒、５・紐５紐、６反動版７・カバー、８手提げ、Ｘ１とＸ２は筒の中の紐５・を筒布と縫いつける目印、Ｘ３は、筒の中の紐５を筒布と縫いつける目印、Ａ１、Ａ２、Ａ３、Ａ４、は布を合わせて縫い付け付けた部分。
【手続補正３】
【補正対象書類名】図面
【補正対象項目名】全図
【補正方法】変更
【補正の内容】
【図１】
0003154034.tif 000005
【図２】
0003154034.tif 000006